(57)【特許請求の範囲】
【請求項１】
浴室ユニットに組み込まれる洗い場床であって、
当該洗い場床の床面部を構成する床面部材と、当該洗い場床の排水ピット部を構成する排水ピット部材とからなり、前記床面部材の端部裏面に前記排水ピット部材の上端を接合して一体化した表面材と、
前記床面部材の下部に配置され、洗い場床の床面部の上に加わる荷重を支える基材と、
前記排水ピット部材の底部に形成された排水口に取り付けられ、排水管が接続される排水トラップと、
前記排水ピット部材の上部を覆い隠すカバー部材と、を備え、
前記カバー部材に加わる力が前記排水ピット部材に伝わることを抑止する接合部保護手段を設けたことを特徴とする洗い場床。
【請求項２】
前記接合部保護手段は、前記床面部材の上に前記カバー部材を載置したものであることを特徴とする請求項１記載の洗い場床。
【請求項３】
前記床面部材と前記排水ピット部材との接合部の真下位置には前記基材が配置されており、前記床面部材と前記排水ピット部材との接合部の真上位置には前記カバー部材が載置されるように構成されていることを特徴とする請求項２記載の洗い場床。
【請求項４】
前記床面部材および前記排水ピット部材の接合部は、排水口側が低位置となるように下降傾斜状に形成されていることを特徴とする請求項３記載の洗い場床。
【請求項５】
前記カバー部材の側端部は、前記接合部の傾斜部に沿った形状に形成されていることを特徴とする請求項４記載の洗い場床。
【請求項６】
前記カバー部材の一部に当接して当該カバー部材の移動を規制するストッパーが形成されていることを特徴とする請求項１から５のいずれか一項に記載の洗い場床。
【発明の詳細な説明】
【技術分野】
【０００１】
本発明は、洗い場床に関する。
【背景技術】
【０００２】
従来、浴室ユニットに組み込まれる洗い場床として、その基材にＦＲＰ(Fiber Reinforced Plastic)製の防水パンを備えたものが多く利用されている。このような洗い場床としては、特に表面材がないもの（例えば特許文献１参照）の他、外観意匠性を向上させたり防水性を付与したりするために表面材が設けられたものもある（例えば特許文献２，３参照）。
【０００３】
特許文献２に開示されている表面材は、洗い場床の床面部のみに平面状の表面材を被覆したものであり、排水ピット部には表面材が積層されていない。このような平面状の表面材であれば、印刷加飾層を含む複層の薄いフィルム状の材料を積層接着させるラミネート成形が採用できる。このラミネート成形は、長尺シート状の加飾シートを効率的に連続生産できるものであるため、多彩な意匠を経済性高く実現可能な手法である。しかしながら、ラミネート成形は、その製法上、排水ピット部のような複雑な３次元形状を付与することが困難である。そのため、防水パンを意匠性や防水性に優れていない材料（例えば発泡材）で形成する際には、防水パンの排水ピット部をラミネート成形で形成した表面材で覆うことができない。
【０００４】
また、特許文献３に開示されている表面材は、床面部と排水ピット部の両方に表面材を被覆したものであり、床面部と排水ピット部とをプレス成形によって一体成形している。このようなプレス成形によって形成した表面材は、ラミネート成形に比べて多彩な意匠を付与することが困難である。
【先行技術文献】
【特許文献】
【０００５】
【特許文献１】特開平７−１８９３１０号公報
【特許文献２】特開２０１０−５９６５２号公報
【特許文献３】特開２０１０−２２９７９１号公報
【発明の概要】
【発明が解決しようとする課題】
【０００６】
しかしながら、床面部材と排水ピット部材を別々に成形し、何らかの接合手段で一体化した床構造においては、その接合部が従来の一体成形品に比べて強度的に弱くなってしまう。しかも、排水ピット部材は、目隠し用のカバー部材が載置されているのが一般的であって、洗い場床上を移動する使用者の荷重が加わる箇所でもあることから、荷重が加わった際に接合部に負荷がかかり、長期使用において剥がれや破損の生じる可能性が高くなる。このような問題も含め、現状の洗い場床は、その成形方法や構造を踏襲する限りは基材の設計自由度や意匠の設計自由度に限度があるものといえる。
【０００７】
そこで、本発明は、床面部材と排水ピット部材とを接合して一体化した表面材において接合部が剥がれたり破損したりするのを抑止することができ、尚かつ基材設計や意匠設計の自由度を向上させることができる洗い場床を提供することを目的とする。
【課題を解決するための手段】
【０００８】
かかる課題を解決するべく本発明者は、床面部と排水ピット部材とを接合する構造に着目しつつ種々の検討をした。例えば上述の特許文献１〜３はいずれも床面部と排水ピット部材とを一体成形しているものであり、別々に成形された床面部と排水ピット部材を接合して一体化するという技術とは無縁であり、そもそも接合部の剥がれや破損といった課題がなかったものである。こうした従来技術をも考慮しつつ検討を重ねた本発明者は課題の解決に結び付く知見を得るに至った。
【０００９】
本発明はかかる知見に基づくものであり、浴室ユニットに組み込まれる洗い場床であって、当該洗い場床の床面部を構成する床面部材と、当該洗い場床の排水ピット部を構成する排水ピット部材とからなり、床面部材の端部裏面に排水ピット部材の上端を接合して一体化した表面材と、床面部材の下部に配置され、洗い場床の床面部の上に加わる荷重を支える基材と、排水ピット部材の底部に形成された排水口に取り付けられ、排水管が接続される排水トラップと、排水ピット部材の上部を覆い隠すカバー部材と、を備え、カバー部材に加わる力が排水ピット部材に伝わることを抑止する接合部保護手段を設けたことを特徴とする。
【００１０】
本発明にかかる洗い場床においては、基材の上に表面材を設けていることから、外観意匠性や防水性の低い基材（例えば発泡材による床パン）を採用することが可能となる。これによれば、基材の材料や製法の選択肢が広がり、基材設計の自由度を向上させることができる。
【００１１】
また、本発明にかかる洗い場床においては、表面材を構成する床面部と排水ピット部とを別々に成形しているため、床面部と排水ピット部とを一体成形する製法ないし製品に比べ、床面部に付与できる意匠が増えるとともに、経済的に最適な加飾手法を組み合わせることが出来るため、意匠設計の自由度・経済性を向上させることもできる。
【００１２】
さらに、本発明にかかる洗い場床においては、床面部材の端部裏面に排水ピット部材の上端を接合しているため、カバー部材を載置した状態において、浴室内にいる使用者からは排水ピット部が見えなくなっている。このため、この点においても排水ピット部およびその周辺部の意匠性が向上する。また、上述のように接合した場合、床面部材と排水ピット部材の継ぎ目が洗い場床の上面に露出しないため、当該床上面を流れる排水性を向上させることができる。
【００１３】
しかも、本発明にかかる洗い場床においては、カバー部材に加わる力（カバー部材の上に加わる使用者の荷重など）が排水ピット部材に伝わることを抑止する接合部保護手段を設けたため、当該接合部に無理な負荷がかからないようにすることができる。したがって、床面部と排水ピット部とを接合して一体化した表面材を採用した場合においても、接合部が剥がれたり破損したりするのを抑止し、漏水に繋がる可能性を長期にわたって抑止することが可能である。
【００１４】
洗い場床における接合部保護手段は、床面部材の上にカバー部材を載置したものであることが好ましい。このような接合部保護手段によれば、接合部に対して引き剥がす方向の力が加わることを確実に抑止することができる。また、上下方向への位置ずれを生じさせずに、カバー部材を安定した状態で載置できる。
【００１５】
また、洗い場床は、床面部材と排水ピット部材との接合部の真下位置には基材が配置されており、床面部材と排水ピット部材との接合部の真上位置にはカバー部材が載置されるように構成されていることが好ましい。かかる洗い場床においては、カバー部材に荷重が加わった際、当該カバー部材と基材とによって接合部を圧縮する（くっつける）方向の力が働くため、接合部を引き剥がす方向の力が加わることをより確実に抑止することができる。したがって、当該部分における止水性を向上させることができる。
【００１６】
洗い場床において、床面部材および排水ピット部材の接合部は、排水口側が低位置となるように下降傾斜状に形成されていることが好ましい。このような洗い場床によれば、カバー部材上面と床面部材の上面との段差を低く抑えることができる。
【００１７】
また、洗い場床において、カバー部材の側端部は、接合部の傾斜部に沿った形状に形成されていることがさらに好ましい。このような洗い場床によれば、カバー部材を、水平方向への位置ずれが抑えられたより安定した状態で床面部材の上に載置することができる。
【００１８】
さらに、洗い場床においては、カバー部材の一部に当接して当該カバー部材の移動を規制するストッパーが形成されていることが好ましい。当該ストッパーによれば、カバー部材の位置ずれを抑止することができる。
【発明の効果】
【００１９】
本発明によれば、床面部と排水ピット部材とを接合して一体化した表面材において接合部が剥がれたり破損したりするのを抑止することができ、尚かつ基材設計や意匠設計の自由度を向上させることができる。
【図面の簡単な説明】
【００２０】
【図１】本発明にかかる洗い場床が適用された浴室ユニットの一例を示す斜視図である。
【図２】洗い場床の構成例を示す斜視図である。
【図３】洗い場床を構成する表面材、基材等を示す分解斜視図である。
【図４】（Ａ）別々に成形された床面部材と排水ピット部材とを示す斜視図、（Ｂ）これら床面部材と排水ピット部材とを一体化して構成される表面材の斜視図である。
【図５】本発明の一実施形態を示す洗い場床の排水口周辺の縦断面図である。
【図６】排水口周辺の部材の構成例を示す分解斜視図である。
【図７】排水口周辺の部材の構成例を示す分解斜視図である。
【図８】排水ピット部材の表面の構成例を示す斜視図である。
【図９】排水口周辺の部材の構成例を一部断面とともに示す斜視図である。
【図１０】床面部材上に配置されたトラップカバーおよびその周辺を示す斜視図である。
【図１１】本発明の他の実施形態を示す洗い場床の排水口周辺の縦断面図である。
【図１２】図１１に示す洗い場床の床面部材上に配置されたトラップカバーおよびその周辺を示す斜視図である。
【発明を実施するための形態】
【００２１】
以下、本発明の構成を図面に示す実施の形態の一例に基づいて詳細に説明する。
【００２２】
図１等に本発明にかかる洗い場床の例を示す。本発明にかかる洗い場床１は表面材２、基材５、排水トラップ６、トラップカバー（カバー部材）７などを備え、さらに接合部保護手段８が設けられている。
【００２３】
洗い場床１は浴室ユニット１０に組み込まれ、浴槽２００に隣接する洗い場の床を形成している（図１等参照）。当該洗い場床１において最も低くなる位置には排水口１１が形成されている。洗い場床１の表面（表面材２）にはこの排水口１１が最も低くなるような排水勾配がつけられており、表面材２上の水が排水勾配に沿って流れ排水口１１（の排水ピット部材４）に集水されるようになっている。
【００２４】
表面材２は基材５の表面全体を覆って防水性を付与する部材である。本実施形態の表面材２は、洗い場床１の床面部１ａを構成する床面部材３と、洗い場床１の排水ピット部（図５において符号Ｔで示す）を構成する排水ピット部材４とで構成されている（図４、図５参照）。表面材２として、模様が付されているなど、洗い場床１の意匠性を向上させるものを採用することも好ましい。また、排水ピット部材４に金属層４２を介して表皮材４３を設けることとしてもよい（図８参照）。
【００２５】
本実施形態では、床面部材３の端部裏面に排水ピット部材４の上端を接合することによってこれら床面部材３と排水ピット部材４とを一体化している（図４〜図６参照）。これらを一体化する手段は特に限定されないが、本実施形態では床面部材３と排水ピット部材４とを熱融着によって接合し、水密性と高い接合強度との両立を図るようにしている（図５参照）。また、この場合において、床面部材３よりも融点が低い材料から構成されている排水ピット部材４を採用することとすれば、床面部材３の表面の方が相対的に溶けにくいことを利用して排水性や意匠性（排水溝や梨地が形成）に影響を与えないようにすることができる。また、融点が低い排水ピット部材４を採用することで、当該排水ピット部材４の方を相対的に多く溶かしてより堅実な融着をすることが可能である。融点が低い排水ピット部材４としては、例えば、電磁誘導加熱や電気抵抗ジュール熱による溶着等の加工が可能な金属層４２を接合部分に有するもの等がある（図８参照）。
【００２６】
また、本実施形態においては、床面部材３の内側（排水口１１寄り）の端部裏面に排水ピット部材４の上端を接合している（図５、図６参照）。こうした場合には、排水トラップ６上にトラップカバー７を載置した状態において、浴室内にいる使用者からは排水ピット部Ｔが見えなくなるので排水ピット部Ｔやその周辺部の意匠性の向上を図ることができる。しかも、こうした場合には床面部材３と排水ピット部材４の継ぎ目が洗い場床１の上面に露出しないため、当該床上面を流れる排水性の向上を図ることもできる。
【００２７】
基材５は、床面部材３の下部に配置され、洗い場床１の床面部１ａの上に加わる荷重を支える部材であり、特に図示していないが浴室壁パネル、天井パネル、風呂椅子、洗面器などの静荷重や使用者の動荷重を受けても撓んだり破損したりしない十分な強度を備えている。基材５は、具体的には発泡床パン、板状架台、フレーム状架台などのいずれでもよい。また、基材５と表面材２との間にクッション材４００を介在させてもよい（図７参照）。本実施形態で例示する基材５は、作業口５１、排水用の開口５２を備えており、例えば四隅を基材支持脚５３で支持されている（図３参照）。
【００２８】
また、基材５は、浴室外に湯水を漏出させない防水性を備えていることが好ましいが、当該基材５の表面全体を表面材２で覆う構成の本実施形態の場合には、基材５が十分な防水性を備えていなくても足りる。したがって、基材５の材質としては、一般的に使用されているＦＲＰ等の熱硬化性樹脂の他、ポリプロピレン、ポリエチレン等の熱可塑性樹脂に補強を施したもの、さらには例えば発泡材のような防水性の低い基材を使用することが可能である。
【００２９】
排水トラップ６は、排水ピット部材４の底部に形成された排水口１１に取り付けられている（図３等参照）。排水トラップ６には、浴槽排水管６１を介して浴槽排水口６２が接続される（図３参照）。また、この排水トラップ６には排水を流すための排水管１２が接続される（図５、図６参照）。
【００３０】
トラップカバー７は、排水ピット部材４の上部を覆い隠すカバーである（図２，図３等参照）。このトラップカバー７は、排水ピット部材４の上に着脱自在な状態で載置されている。トラップカバー７の形状は特に限定されるものではないが、本実施形態では四辺が下側に折り曲げられた形態の壁部７１を有するトラップカバー７を用いている（図５等参照）。また、本実施形態のトラップカバー７には、洗い場床１の表面材２上の水を通過させる排水用切り欠き７２が複数設けられている（図１０参照）。
【００３１】
また、建築床１００上には、浴槽２００等を支持する架台３００が設置されている（図１参照）。架台３００は、例えば柱状の金属材（鋼材）を縦横に組み合わせて構成され、浴槽水を溜めた状態で且つ入浴者が存在している状態の浴槽荷重を支えるのに十分な強度および耐久性を有する。
【００３２】
ここで、本実施形態においては、排水トラップ６を、排水口１１に対して締付フランジ１３を介して固定している（図７、図９参照）。さらに、本実施形態では、基材５を、この締付フランジ１３と排水トラップ６との上下方向の間には介在させないようにして、高い止水性が要求される部分の一つであるフランジ締め付け部（締付フランジ１３によって締め付けられる部分）に多くの部材が積み重ならないようにし、当該締め付け部の止水性を向上させることとしている（図９参照）。
【００３３】
接合部保護手段８は、トラップカバー７に加わる力（荷重Ｐ）が排水ピット部材４に伝わることを抑止するものである。なお、ここでいう荷重Ｐとは、トラップカバー７の重量によるものの他、使用者や水の重量が加わった場合に作用するものも含む。
【００３４】
接合部保護手段８の具体例は特に限定されるものではないが、本実施形態の接合部保護手段８は、床面部材３の上にトラップカバー７が載置される構成としたものである（図５参照）。具体例を挙げて説明すると、本実施形態では排水ピット部Ｔより少なくとも一回り大きく尚かつ縁部が下側に折り曲げられた形状の壁部７１を有するトラップカバー７を採用し、当該トラップカバー７を載置した場合、荷重Ｐが床面部材３や基材５に向けて作用し、排水ピット部材４には伝わらないようにしている。より具体的には、本実施形態では床面部材３と排水ピット部材４との接合部Ｃの真下位置に基材５が位置するようにこれらを配置し、尚かつ、接合部Ｃの真上位置またはそれよりも外側にトラップカバー７（の壁部７１）が載置されるように構成している（図５参照）。このような接合部保護手段８によれば、トラップカバー７に荷重Ｐが作用した際、当該トラップカバー７と基材５とによって接合部Ｃが圧縮される方向の力を作用させることができる。これによれば、接合部Ｃにおいて床面部材３と排水ピット部材４が引き剥がされる方向の力が加わることを抑止し、当該部分における止水性を向上させることができる。また、トラップカバー７を、上下方向への位置ずれを生じさせないようにして安定した状態で載置することができる。
【００３５】
かかる接合部保護手段８においては、トラップカバー７の水平方向の位置ずれを抑制する手段が形成されていることが好ましい。例えば本実施形態では、壁部７１に当接してトラップカバー７の移動を規制するストッパー１４を設けている（図５参照）。ストッパー１４は、例えば浴槽２００の外壁や、床面部材３の浴槽２００側の一辺に形成されたエッジ部３１（図１０参照）などで構成することができる。排水口１１が洗い場床１の隅に形成されている場合、垂直に交わる２つの鉛直面（例えば浴槽２００の外壁と浴室ユニット１０の内壁）の両方をそれぞれストッパー１４として機能させることもできる。また、特に図示していないが、トラップカバー７の底面（床面部材３との接地面）に滑り止め用のゴム部材が設けられている場合は当該ゴム部材にストッパー１４の機能を分担させることもできる。
【００３６】
ここまで説明したように、本実施形態の洗い場床１によれば、基材５の上に表面材２を設けていることから、外観意匠性や防水性の低い基材（例えば発泡床パン）５を採用することが可能である。すなわち、従来のＦＲＰ製防水パンのような基材を用いずとも防水を備えた洗い場床１を構築することが可能となるため、他の製法により洗い場床１を成形することが可能になる等、基材５の材料や製法の選択肢が広がり、基材設計の自由度が大きくなる。
【００３７】
また、本実施形態では、洗い場床１の表面材２を構成する床面部材３と排水ピット部材４とを別々に成形しているので（図４等参照）、床面部１ａと排水ピット部Ｔとを当初から一体成形する製法ないし製品に比べ、床面部材３（およびこれによって構成される床面部１ａ）の設計自由度も大きくなる。したがって、表面材２の意匠設計の自由度を向上させることもできる。
【００３８】
さらに、本実施形態では、使用者の荷重などのようにトラップカバー７に加わる力が排水ピット部材４に伝わることを抑止する接合部保護手段８を設けたため、当該接合部Ｃに無理な負荷がかからないようにすることができる。したがって、床面部材３と排水ピット部材４とを接合して一体化した表面材２を採用した場合においても、接合部Ｃが剥がれたり破損したりするのを抑止し、漏水に繋がる可能性を長期にわたって抑止することが可能である。
【００３９】
また、一般に、排水ピット部Ｔの真下空間には、排水トラップ６や、該排水トラップ６と接続される排水管１２が配置されることから、排水ピット部Ｔの真下位置で排水トラップ６を何らかの支持材で支持して排水ピット部材４を保護しようとすれば、排水管１２との干渉を避けて施工する必要が生じるため煩雑になりやすい。この点、本実施形態の洗い場床１においてはそのような支持材が不要であるため、施工性が劣化するのを回避しつつ上述の種々の効果を実現することができる。
【００４０】
なお、上述の実施形態は本発明の好適な実施の一例ではあるがこれに限定されるものではなく本発明の要旨を逸脱しない範囲において種々変形実施可能である。例えば、本実施形態では接合部保護手段８の一形態を示したが（図５参照）、さらに、床面部材３および排水ピット部材４の接合部Ｃを、排水口１１側が低位置となるように下降傾斜状に形成することもできる（図１１、図１２参照）。こうした場合には、排水ピット部Ｔの周囲において床面部材３の上面を低くし、そのぶん、トラップカバー７の上面と床面部材３の上面との段差を低く抑え、あるいは無くすことが可能となる（図１１参照）。
【００４１】
また、トラップカバー７の側端部７３を、接合部Ｃや床面部材３の下降傾斜に沿った形状に形成することもできる。これによれば、トラップカバー７を、水平方向への位置ずれが抑えられたより安定した状態で床面部材３の上に載置することが可能となる（図１１参照）。この場合には、接合部Ｃや床面部材３の下降傾斜面がトラップカバー７の移動を規制するストッパー１４として機能しうる。
【符号の説明】
【００４２】
１：洗い場床
１ａ：床面部
２：表面材
３：床面部材
４：排水ピット部材
５：基材
６：排水トラップ
７：トラップカバー（カバー部材）
８：接合部保護手段
１０：浴室ユニット
１１：排水口
１２：排水管
１４：ストッパー
７３：側端部
Ｃ：接合部
Ｔ：排水ピット部
【図１】
0005533755.tif 000002
【図２】
0005533755.tif 000003
【図３】
0005533755.tif 000004
【図４】
0005533755.tif 000005
【図５】
0005533755.tif 000006
【図６】
0005533755.tif 000007
【図７】
0005533755.tif 000008
【図８】
0005533755.tif 000009
【図９】
0005533755.tif 000010
【図１０】
0005533755.tif 000011
【図１１】
0005533755.tif 000012
【図１２】
0005533755.tif 000013